(57)【要約】      （修正有）【課題】シールで封止された状態からハーフカットに沿った開封が容易であり、開封後も閉蓋状態を維持できる立体状の包装用容器の蓋体を提供することにある。【解決手段】容器本体を閉蓋するために、立体状のカバー部Ｍ１と、このカバー部に周設された平面状のフランジ部３とを少なくとも備え、このフランジ部は、容器本体に接着されるシール部３１ａと、このシール部を剥がして切り離すために厚みが薄くされたカット部３１ｂと、このカット部を切り離した後に残る付け根部３１ｃとを有する。【選択図】図１
2019137430.tif 000002
【特許請求の範囲】
【請求項１】
容器本体を閉蓋するために、立体状のカバー部と、当該カバー部に周設された平面状のフランジ部とを備え、
前記フランジ部は、前記容器本体に接着されるシール部と、当該シール部を剥がして切り離すために厚みが薄くされたカット部と、当該カット部を切り離した後に残る付け根部とを有する
ことを特徴とする包装用容器の蓋体。
【請求項２】
前記フランジ部が、段差部を介して前記カバー部に設けられている
ことを特徴とする請求項１に記載の包装用容器の蓋体。
【請求項３】
少なくとも前記カバー部の天井部分より低い位置に脱気孔を備えている
ことを特徴とする請求項１又は２に記載の包装用容器の蓋体。
【請求項４】
前記積層シートが、少なくとも基材層及びシール層で構成され、
前記シール層には、さらにガスバリア層が積層されており、
前記フランジ部のカット部が、前記基材層の範囲内に設けられている
ことを特徴とする請求項１乃至３のいずれか一項に記載の包装用容器の蓋体。
【請求項５】
前記脱気孔が、加圧により開放するために厚みが薄くされたカット部を有し、
前記ガスバリア層が、前記シール層の最内層付近に積層してあり、
前記脱気孔のカット部が、前記フランジ部のカット部より深い
ことを特徴とする請求項４に記載の包装用容器の蓋体。
【発明の詳細な説明】
【技術分野】
【０００１】
本発明は、例えば、食品を収容する容器本体の開口部分を閉じる包装用容器の蓋体に関し、さらに詳しくは、シールで開口部分を封止する立体状の包装用容器の蓋体に関する。
【背景技術】
【０００２】
従来から、例えば、スーパーマーケットやコンビニエンスストアで販売される食品の包装用容器には、熱圧着により容器本体の開口部分を容易に封止できるトップシール式の蓋体が採用されていた。しかしながら、トップシール式の蓋体は、一般的に剛性の低いフィルム状のため、加熱時に収縮し変形してしまうことがあった。
【０００３】
そこで、フィルム状の蓋体より厚い立体状の蓋体で容器本体の開口部分をトップシールするために、蓋体を構成する基材層に高強度なポリオレフィン系樹脂を含有し、シール層に低結晶性ポリプロピレンを含有する発想が開示されている（例えば、特許文献１参照）。この発想によれば、一定以上の厚みの蓋体を低温かつ短時間でシールできる効果を得られる。
【先行技術文献】
【特許文献】
【０００４】
【特許文献１】国際公開ＷＯ２０１５／０５３３８０号公報
【発明の概要】
【発明が解決しようとする課題】
【０００５】
しかしながら、特許文献１の発想を採用した蓋体では、剛性により立体部分が折れ曲がりにくいため、シールを剥がしにくい。一方、力を加えすぎると、シールが一気に剥がれてしまうため、中身が飛散する恐れがある。
【０００６】
そこで、発明者等は、従来からフィルム状の蓋体に採用されていたカット技術を、立体状の蓋体に応用する発想にたどり着いた。すなわち、立体状の蓋体に設けたハーフカットにより、立体部分とシールされた部分とを切り離す発想である。
【０００７】
ここで、立体状の蓋体の剛性により、ハーフカットに沿って立体部分を切り出しにくく、力を加えすぎると、立体部分が一気に切り出され、中身が飛散する恐れがある。さらに、立体部分を切り出した後そのまま開けっ放しにしておけば、中身の劣化が早まる恐れがある。  また、商品の積載等でシールされた部分が加重されて振動してしまうと、その部分が破損したりシールが弱まったりする恐れがある。また、蓋体の積層構造により、ハーフカットの方向や深さ次第では、ガスバリア性の低下を招く恐れもある。また、トップシールの密閉性により、蒸気の逃げ道がないと、電子レンジ等で加熱すると爆発する恐れもある。
【０００８】
そこで、本発明の第１の目的は、シールで封止された状態からハーフカットに沿った開封が容易であり、開封後も閉蓋状態を維持できる立体状の包装用容器の蓋体を提供することにある。本発明の第２の目的は、シールされた部分の加重を軽減して密閉性を担保する包装用容器の蓋体を提供することにある。本発明の第３の目的は、密閉性及び加熱時の安全性を担保する蒸気抜き構造を備えた包装用容器の蓋体を提供することにある。本発明の第４の目的は、ガスバリア性が低下しないようにハーフカットされている包装用容器の蓋体を提供することにある。
【課題を解決するための手段】
【０００９】
本発明の一実施形態による包装用容器の蓋体は、容器本体を閉蓋するために、立体状のカバー部と、上記カバー部に周設された平面状のフランジ部とを備え、上記フランジ部は、上記容器本体に接着されるシール部と、上記シール部を剥がして切り離すために厚みが薄くされたカット部と、上記カット部を切り離した後に残る付け根部とを有することを特徴とする。
【００１０】
上記フランジ部が、段差部を介して上記カバー部に設けられていることが望ましい。
【００１１】
少なくとも上記カバー部の天井部分より低い位置に脱気孔を備えていることが望ましい。
【００１２】
上記積層シートが、少なくとも基材層及びシール層で構成され、上記シール層には、さらにガスバリア層が積層されており、上記フランジ部のカット部が、上記基材層の範囲内に設けられていることが望ましい。
【００１３】
上記脱気孔が、加圧により開放するために厚みが薄くされたカット部を有し、上記ガスバリア層が、上記シール層の最内層付近に積層してあり、上記脱気孔のカット部が、上記フランジ部のカット部より深いことが望ましい。
【発明の効果】
【００１４】
本発明による包装用容器の蓋体では、シールで封止された状態からハーフカットに沿った開封が容易であり、開封後も閉蓋状態を維持できる。
【図面の簡単な説明】
【００１５】
【図１】本発明の一実施形態における包装用容器の蓋体の一例を示す斜視図である。
【図２】図１に示す蓋体の長手方向の真ん中から切断した端面図である。
【図３】（ａ）及び（ｂ）は、図１の蓋体のカット部の一部を示す拡大概念図である。
【発明を実施するための形態】
【００１６】
以下、図１〜図３を参照しつつ、本発明の一実施形態における包装用容器の蓋体（以下、「本包装用容器の蓋体」ともいう。）の構造及び使用方法について説明する。
これらの図において、複数個存在する同一の部位については、一つの部位のみに符番する場合がある。説明の便宜上、所定の部位やこの引き出し線を破線や想像線（二点鎖線）で示してもよい。
【００１７】
図１は、本発明の一実施形態における本包装容器の一例を示す斜視図である。図１に示すように、本包装用容器の蓋体Ｍは、容器本体（図示しない）の開口部分を閉じる（閉蓋する）ものであり、平面視で長方形状である。蓋体Ｍは、天井部１と、天井部１の周端部分から下方に拡開するように周設された蓋体側部２と、蓋体側部２の下端部分から外方に延出するように周設されたフランジ部３（以下、「蓋体フランジ部３」ともいう。）と、加熱時に包装用容器（図示しない）内の蒸気を抜く脱気孔４とを備えている。天井部１及び蓋体側壁部２が、カバー部Ｍ１を形成する。
なお、蓋体Ｍの形状は、平面視で正方形等の矩形、円形、半円形、又は楕円形でもよい。天井部１の周端、蓋体側部２の水平端面、及び蓋体フランジ部３の周端の形状は、蓋体Ｍと同形でも異形でもよい。
【００１８】
図示しないが、蓋体Ｍにより閉蓋される容器本体について説明をする。容器本体は、食品等を載置する本体底部と、本体底部の周端部分から立ち上がるように周設された本体側部と、本体側部の上端部分から外方に延出するように周設された平面状の本体フランジ部とを備え、本体側部の上端部分付近には外方に突き出た本体側段差部が設けられている。
なお、容器本体の平面視での形状は、蓋体の平面視での形状と同形でも異形でもよい。
【００１９】
図２は、図１に示す蓋体Ｍの長手方向の真ん中から切断した端面図である。図２に示すように、蓋体フランジ部３は、閉蓋時に本体フランジ部と面する蓋体フランジ平面部３１と、蓋体フランジ平面部３１と蓋体側部２の下端部分との間に介在している段差部３２（以下、「蓋体フランジ段差部３２」ともいう。）と、蓋体フランジ平面部３１の先端部分に設けられた摘み部３３とを備えている。
なお、蓋体フランジ部３が、蓋体側部２の下端部分から外方に延出するように周設された蓋体フランジ平面部３１であってもよい。
【００２０】
蓋体フランジ平面部３１は、密閉するために本体フランジ部に接着されるシール部３１ａと、シール部３１ａを剥がして切り離すために例えば、刃物、レーザで厚みが薄くされた線状のカット部３１ｂ（以下、「フランジカット部３１ｂ」ともいう。）と、シール部３１ａを除去した後に残される付け根部３１ｃとを備えている。
なお、蓋体フランジ平面部３１の幅は、シール部３１ａ、フランジカット部３１ｂ、及び付け根部３１ｃが形成できればよく、限定はない。
【００２１】
シール部３１ａ、フランジカット部３１ｂ、及び付け根部３１ｃは、蓋体フランジ平面部３１の全周に設けられていてもよい。シール部３１ａは、フランジカット部３１ｂより外側に位置し、付け根部３１ｃは、フランジカット部３１ｂより内側に位置していてもよい。この構成によれば、フランジカット部３１ｂを切りながらシール部３１ａを剥がせ、シール部３１ａを除去した後に付け根部３１ｃが本体フランジ部と面しているため、密閉状態を解除した後も閉蓋状態を維持することができる。
なお、フランジカット部３１ｂは、周方向に対して例えば、周方向の半分や一方の短辺部分を除いた周方向全部に設けられてもよい。シール部３１ａの幅とフランジカット部３１ｂの幅との比率に限定はなく、密閉性を高めるためシール部３１ａの幅が広くてもよい。
【００２２】
蓋体フランジ段差部３２は、断面Ｌ字状でもよく、閉蓋状態にて本体側段差部と組み合わされる。この構成によれば、蓋体Ｍに加わる上方からの応力が蓋体フランジ段差部３２を介して本体側段差部に逃がせるため、この応力により蓋体フランジ部３が折れ曲がったりハーフカット部３１ｂが切れてしまったりすることを回避することができる。
なお、蓋体フランジ段差部３２は、アーチ状に切り欠いた部分を有していてもよく、この部分が蓋体Ｍを重なり止め（以下、「スタック」ともいう。）として機能してもよく、スタックの上端部分が蓋体フランジ平面部３１を超えて脱気孔として機能してもよい。
【００２３】
脱気孔４は、天井部１より低く、蓋体フランジ段差部３２の下端部分より高い、又は同等な高さ位置に設けられてもよい。脱気孔４は、天井部１から蓋体側部２の所定の高さ位置に渡って湾状に切り欠いたように形成された底部分に設けられる。この構成によれば、脱気孔４が少なくとも天井部１より低い位置にあるため、包装用容器を上下に積み重ねた際に下側の蓋体Ｍの天井部１に載置された上側の容器本体がこの脱気孔４に接触して潰したり破壊したりする恐れを回避することができる。脱気孔４は、閉じている上述した底部分を例えば、指での押圧、器具の加圧で開放するために刃物またはレーザで厚みが薄くされた十文字状のカット部４１（以下、「脱気孔カット部４１」ともいう。）を備えている。この構成によれば、未使用時には包装用容器の密閉状態を有し、使用時には容易に開放できるため、異物混入等に対する包装容器内の安全性と消費者の利便性とを兼ねた蒸気の逃げ道を提供することができる。
なお、脱気孔４は、上述した底部分から隆起した部分の天井部分に設けられてもよい。脱気孔４は、自動開放式でもよく、例えば、電子レンジ等での加熱により包装用容器内が所定の温度に達したときに自動的に開放してもよい。
【００２４】
フランジカット部３１ｂ及び脱気孔カット部４１は、蓋体Ｍを構成する積層構造に応じて設けられる。
図３（ａ）及び（ｂ）は、図１の蓋体Ｍのカット部の一部を示す拡大概念図である。図３（ａ）及び（ｂ）に示すように、蓋体Ｍは、閉蓋時の容器本体に対して外側（蓋体Ｍの表側）になる基材層Ｓ１と、内側（蓋体Ｍの裏側）になるシール層Ｓ２とが積層された積層シートを形成したものである。
図３（ａ）に示すとおり、フランジカット部３１ｂは、基材層Ｓ１の範囲内かつシール層Ｓ２の範囲外に設けられ、ガスバリア層がこのシール層Ｓ２に積層されている。この構成によれば、シール層Ｓ２内のガスバリア層がフランジカット部３１ｂの形成時に傷つけられないため、バリア性の欠如を回避することができる。
一方、図３（ｂ）に示すとおり、脱気孔カット部４１の深さは、フランジカット部３１ｂの深さより深くなる。換言すれば、脱気孔カット部４１は、基材層Ｓ１を貫通してシール層Ｓ２に至っていてもよく、ガスバリア層がこのシール層Ｓ２の最も内側（最内層）付近に積層されている。この構成によれば、脱気孔カット部４１はフランジカット部３１ｂより容易に開封でき、かつシール層Ｓ２内のガスバリア層が脱気孔カット部４１の形成時に傷つけられないため、密閉時にバリア性を有することができる。
【００２５】
次に、本発明による包装用容器の蓋体Ｍによる食品の使用方法を説明する。
【００２６】
まず、食品等が入った容器本体に対し、蓋体フランジ段差部３２が本体側段差部に組み合わさるように蓋体Ｍを被せる。そして、本体フランジ部に接している蓋体フランジ平面部３１のシール部３１ａに、例えば、１７０℃〜２３０℃の熱圧着装置を押し当てる。これにより、包装用容器を密閉する。
【００２７】
次に、摘み部３３からフランジカット部３１ｂを切ってシール部３１ａを剥がす。換言すれば、摘み部３３を摘んでフランジカット部３１ｂに沿って一周するようにシール部３１ａを剥がす。これにより、包装用容器を開放する。このとき、付け根部３１ｃが本体フランジ部に接したままの状態で蓋体Ｍが残存される。換言すれば、シール部３１ａを剥がした後も、蓋体Ｍで容器本体を閉蓋する。
【００２８】
また、密閉された包装用容器を搬送したり陳列したりするとき、下側の蓋体Ｍに上側の容器本体を組み合わせるように包装用容器を載せても、この蓋体Ｍの脱気孔４にこの容器本体が干渉していない。密閉された包装用容器を電子レンジ等で加熱する前に、脱気孔カット部４１を指で押圧して脱気孔４を開放する。
【００２９】
なお、本実施形態における蓋体Ｍやこの蓋体Ｍで閉蓋する容器本体は、例えば真空成型、熱板圧空成型、真空圧空成型、両面真空成型等のシート成型で、合成樹脂シートを熱成型することにより形成される。合成樹脂シートとしては、例えば、ポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば、発泡樹脂を使用すれば、軽量かつ断熱性があり好ましい。さらに、シートの表面または裏面を合成樹脂フィルムで覆ってもよく、表面を覆った場合は印刷を施してもよい。合成樹脂シートの厚みは特に制限はない。
【００３０】
基材層Ｓ１を構成する熱可塑性樹脂は、例えば、ポリオレフィン系樹脂でもよく、好ましくはポリプロピレン系樹脂でもよく、無機フィラーが含有されたものでもよい。シール層Ｓ２を構成する熱可塑性樹脂は、例えば、ポリオレフィン系樹脂でもよく、ポリオレフィン系樹脂の配合比率が５０％以上の範囲で複数樹脂（例えば、ポリプロピレン系樹脂、ポリエチレン系樹脂）を混合したイージーピール性樹脂でもよく、適宜ポリスチレン系樹脂や各種添加剤を混合してもよい。シール層Ｓ２は、基材層Ｓ１の全部のみならず、いわゆるパートコートにより、この基材層Ｓ１のうち本体フランジ部に対応する部分のみに積層してもよい。基材層Ｓ１、又は基材層Ｓ１とシール層Ｓ２との間には、ガスバリア層、印刷層、ドライラミ接着層などの他層が積層されてもよい。基材層Ｓ１の厚みは１５０μｍ〜３５０μｍ、シール層Ｓ２の厚みは１０μｍ〜１００μｍでもよい。
【００３１】
フランジカット部３１ｂ及び脱気孔カット部４１は、蓋体Ｍの成型前の積層シートに、所定のプレス機に搭載した刃先の直線性が高い切断刃の例えば、刃先が直線で１００ｍｍ延びた場合に許容される誤差の範囲が０．１ｍｍの刃で形成される。
【符号の説明】
【００３２】
Ｍ        蓋体
Ｍ１      カバー部
３        フランジ部（蓋体フランジ部）
３１ａ    シール部
３１ｂ    カット部（フランジカット部）
３１ｃ    付け根部
３２      段差部（蓋体フランジ段差部）
４        脱気孔
４１      カット部（脱気孔カット部）
Ｓ１      基材層
Ｓ２      シール層
【図１】
2019137430.tif 000003
【図２】
2019137430.tif 000004
【図３】
2019137430.tif 000005